【手続補正書】
【提出日】平成17年5月6日(2005.5.6)
【手続補正１】
【補正対象書類名】明細書
【補正対象項目名】特許請求の範囲
【補正方法】変更
【補正の内容】
【特許請求の範囲】
【請求項１】
次式Ｉ
【化１】
1998330340.tif 000001
［式中、
Ｒ12は炭素原子数１ないし１２のアルキル基、炭素原子数５ないし１２のシクロアルキル基、フェニル基または炭素原子数７ないし９のフェニルアルキル基を表し、
Ｒ15は水素原子、炭素原子数１ないし１８のアルキル基、炭素原子数５ないし１２のシクロアルキル基、フェニル基または炭素原子数７ないし９のフェニルアルキル基を表し、
Ｑは次式−ＣmＨ2m−、
【化２】
1998330340.tif 000002
または−（ＣＨ2）a−Ｓ−（ＣＨ2）b−で表される基を表し、
ａは０ないし３の数を表し、
ｂは１または２を表し、
ｍは０ないし３の数を表し、
ｎは１ないし６の数を表し、
ｓは０、１または２を表し、そして
ｎ＝１の場合、
Ｒ17は水素原子、炭素原子数１ないし４５のアルキル基、炭素原子数５ないし１２のシクロアルキル基、炭素原子数２ないし１８のアルケニル基、次式−ＣＨ2ＣＨ2−Ｒ10−Ｒ1または−［（ＣＨ2）p−Ｏ］q−（ＣＨ2）p−Ｏ−Ｒ1で表される基を表し、
Ｒ1は水素原子、炭素原子数１ないし２４のアルキル基または炭素原子数５ないし１２のシクロアルキル基を表し、
Ｒ10は酸素原子、硫黄原子または次式＝Ｎ−Ｒ2で表される基を表し、
Ｒ2は炭素原子数１ないし１８のアルキル基、未置換または炭素原子数１ないし１８のアルキル基、ヒドロキシ基もしくはメトキシ基によって置換されたフェニル基を表し、
ｐは２、３または４を表し、
ｑは２ないし２０の数を表し、また
ｎ＝２の場合、
Ｒ17は二価ヘキソース基もしくはヘキシット基、次式
【化３】
1998330340.tif 000003
で表される基を表し、
Ｒ10は酸素原子、硫黄原子または次式＝Ｎ−Ｒ2で表される基を表し、
Ｒ14およびＲ16は互いにそれぞれ独立して水素原子もしくは炭素原子数１ないし１２のアルキル基を表すか、またはＲ14およびＲ16は、結合する炭素原子と一緒になって、炭素原子数５ないし８のシクロアルキリデン環を表し、
ｒは２ないし１０の数を表し、また
ｎ＝３の場合、
Ｒ17は三価ヘキソース基もしくはヘキシット基、次式
【化４】
1998330340.tif 000004
で表される基を表し、
Ｒ9は水素原子、−ＣＨ2ＯＨまたは炭素原子数１ないし４のアルキル基を表し、また
ｎ＝４の場合、
Ｒ17は四価ヘキソース基もしくはヘキシット基、炭素原子数４ないし１０のアルカンテトライル基、次式
【化５】
1998330340.tif 000005
で表される基を表し、また
ｎ＝５の場合、
Ｒ17は五価ヘキソース基もしくはヘキシット基を表し、また
ｎ＝６の場合、Ｒ17は次式
【化６】
1998330340.tif 000006
で表される基を表す。］で表される化合物を、次式ＩＩａまたは／およびＩＩｂ
【化７】
1998330340.tif 000007
［式中、Ｒ4は水素原子、炭素原子数１ないし１８のアルキル基、未置換もしくは炭素原子数１ないし１２のアルキル置換されたフェニル基、次式−ＣwＨ2w−ＯＨまたは−ＣwＨ2w−ＮＨ2で表される基を表し、
Ｘはヒドロキシ基、−ＮＨ2または次式−Ｙ−［ＣwＨ2w−Ｙ］c−ＣwＨ2w−Ｒ13で表される基を表し、
Ｒ13はヒドロキシ基または−ＮＨ2を表し、
Ｙは酸素原子または＝ＮＨを表し、
ｃは０ないし６の数を表し、
ｗは２ないし６の数を表し、
Ｔは水素原子または次式−ＣwＨ2w−Ｘで表される基を表す。］で表される化合物（但し式ＩＩａおよびＩＩｂで表される化合物においてそれぞれ少なくとも一つの＝ＮＨ基が存在する。）並びに次式ＩＩＩａまたは／およびＩＩＩｂ
【化８】
1998330340.tif 000008
［式中、Ｇは塩素原子、臭素原子または次式−ＯＲ6で表される基を表し、
Ｒ5は水素原子、炭素原子数１ないし３０のアルキル基、炭素原子数８ないし３０のアルケニル基、フェニル基、炭素原子数７ないし９のフェニルアルキル基、炭素原子数５ないし１２のシクロアルキル基、
次式−ＣdＨ2d−Ｓ−Ｒ8で表される基、炭素原子数８ないし２２のヒドロキシアルケニル基、次式
【化９】
1998330340.tif 000009
で表される基を表し、
Ｒ6は水素原子、炭素原子数１ないし１８のアルキル基、炭素原子数８ないし３０のアルケニル基、炭素原子数５ないし１２のシクロアルキル基、フェニル基または炭素原子数７ないし９のフェニルアルキル基を表し、
Ｒ8は炭素原子数４ないし１２のアルキル基、フェニル基または炭素原子数５ないし８のシクロアルキル基を表し、
ｄは０、１、２または３を表し、
ｆは７または８を表し、
ｘは２ないし８の数を表し、
ｙは３または４を表し、そして
ｙ＝３の場合、
Ｒ18は炭素原子数３ないし１８のアルカントリイル基または炭素原子数６ないし８のシクロアルカントリイル基を表し、また
ｙ＝４の場合、
Ｒ18は炭素原子数３ないし１８のアルカンテトライル基または炭素原子数６ないし８のシクロアルカンテトライル基を表す。］で表される化合物と、適当な場合には、さらに加えて次式ＩＶ
Ｋ（ＩＶ）
［式中、
Ｋは硫黄原子、次式Ｒ19−ＳＨ、
【化１０】
1998330340.tif 000010
炭素原子数１２ないし３０のアルカンまたは炭素原子数１８ないし３６のフェニルアルカンを表し、
Ｒ19は炭素原子数１ないし１８のアルキル基、炭素原子数７ないし２４のフェニルアルキル基、フェニル基、炭素原子数７ないし２４のアルキルフェニル基、未置換または炭素原子数１ないし４のアルキル置換された炭素原子数５ないし１２のシクロアルキル基を表し、また
Ｒ20およびＲ21は互いにそれぞれ独立して炭素原子数１ないし１８のアルキル基、未置換または炭素原子数１ないし１８のアルキル置換されたフェニル基を表す。］で表される化合物と反応させることによって得られる生成物。
【請求項２】
式Ｉで表される化合物において、
Ｒ12は炭素原子数１ないし８のアルキル基、シクロヘキシル基またはフェニル基を表し、Ｒ15は水素原子、炭素原子数１ないし１２のアルキル基、シクロヘキシル基またはフェニル基を表し、
Ｑは次式−ＣmＨ2m−または−（ＣＨ2）a−Ｓ−（ＣＨ2）b−で表される基を表し、
ａはｌを表し、
ｂは１を表し、
ｍは２を表し、
ｎは１ないし４の数を表し、
ｓはｌまたは２を表し、そして
ｎ＝１の場合、
Ｒ17は水素原子、炭素原子数１ないし１８のアルキル基、シクロヘキシル基、アリル基、次式−ＣＨ2ＣＨ2−Ｒ10−Ｒ1または−［（ＣＨ2）p−Ｏ］q−（ＣＨ2）p−Ｏ−Ｒ1で表される基を表し、
Ｒ1は水素原子、炭素原子数１ないし１２のアルキル基またはシクロヘキシル基を表し、
Ｒ10は酸素原子、硫黄原子または次式＝Ｎ−Ｒ2で表される基を表し、
Ｒ2は炭素原子数１ないし１２のアルキル基またはフェニル基を表し、
ｐは２または４を表し、
ｑは２ないし１０の数を表し、また
ｎ＝２の場合、
Ｒ17は二価ヘキソース基もしくはへキシット基、次式
【化１１】
1998330340.tif 000011
で表される基を表し、
Ｒ10は酸素原子、硫黄原子または次式＝Ｎ−Ｒ2で表される基を表し、
Ｒ14およびＲ16は互いにそれぞれ独立して水素原子もしくは炭素原子数１ないし１２のアルキル基を表すか、またはＲ14およびＲ16は、結合する炭素原子と一緒になって、シクロヘキシリデン環を形成し、
ｒは２ないし１０の数を表し、また
ｎ＝３の場合、
Ｒ17は三価ヘキソース基もしくはヘキシット基、次式
【化１２】
1998330340.tif 000012
で表される基を表し、
Ｒ9は水素原子、−ＣＨ2ＯＨまたは炭素原子数１ないし４のアルキル基を表し、また
ｎ＝４の場合、
Ｒ17は四価ヘキソース基もしくはヘキシット基、炭素原子数４ないし１０のアルカンテトライル基または次式
【化１３】
1998330340.tif 000013
で表される基を表すところの、請求項ｌに記載の生成物。
【請求項３】
式Ｉで表される化合物において、
Ｒ12は第三ブチル基を表し、
Ｒ15は炭素原子数１ないし４のアルキル基を表し、そしてＯＨ基のオルト位に結合されており、
Ｑは次式−ＣmＨ2m−または−（ＣＨ2）a−Ｓ−（ＣＨ2）b−で表される基を表し、
ａはｌを表し、
ｂは１を表し、
ｍは２を表し、
ｎは１または４を表し、
ｓは１を表し、そして
ｎ＝１の場合、
Ｒ17は炭素原子数１ないし１８のアルキル基を表し、また
ｎ＝４の場合、
Ｒ17は次式
【化１４】
1998330340.tif 000014
で表される基を表すところの、請求項１に記載の生成物。
【請求項４】
式ＩＩａおよびＩＩｂで表される化合物において、
Ｒ4は水素原子、炭素原子数１ないし１２のアルキル基、未置換もしくは炭素原子数１ないし４のアルキル置換されたフェニル基、次式−ＣwＨ2w−ＯＨまたは−ＣwＨ2w−ＮＨ2で表される基を表し、
Ｘはヒドロキシ基、−ＮＨ2または次式−Ｙ−［ＣwＨ2w−Ｙ］c−ＣwＨ2w−Ｒ13で表される基を表し、
Ｒ13はヒドロキシ基または−ＮＨ2を表し、
Ｙは酸素原子または＝ＮＨを表し、
ｃは０ないし４の数を表し、
ｗは２ないし４の数を表し、
Ｔは水素原子または次式−ＣwＨ2w−Ｘで表される基を表す（但し式ＩＩａおよびＩＩｂで表される化合物において少なくとも一つの＝ＮＨ基が存在する。）ところの、請求項１に記載の生成物。
【請求項５】
式ＩＩＩａおよびＩＩＩｂで表される化合物において、
Ｇは次式−ＯＲ6で表される基を表し、
Ｒ5は水素原子、炭素原子数１ないし１８のアルキル基、炭素原子数８ないし２２のアルケニル基、フェニル基、ベンジル基、シクロヘキシル基、炭素原子数８ないし２２のヒドロキシアルケニル基、次式
【化１５】
1998330340.tif 000015
で表される基を表し、
Ｒ6は水素原子、炭素原子数１ないし１８のアルキル基、炭素原子数８ないし２２のアルケニル基、シクロヘキシル基、フェニル基またはベンジル基を表し、
ｆは７または８を表し、
ｘは２ないし６の数を表し、
ｙは３または４を表し、そして
ｙ＝３の場合、
Ｒ18は炭素原子数３ないし１２のアルカントリイル基またはシクロヘキサントリイル基を表し、また
ｙ＝４の場合、
Ｒ18は炭素原子数３ないし１２のアルカンテトライル基またはシクロヘキサンテトライル基を表すところの、請求項１に記載の生成物。
【請求項６】
式ＩＶで表される化合物において、
Ｋは硫黄原子、次式
【化１６】
1998330340.tif 000016
炭素原子数１２ないし３０のアルカンまたは炭素原子数１８ないし３６のフェニルアルカンを表し、また
Ｒ20およびＲ21は互いにそれぞれ独立して炭素原子数１ないし１２のアルキル基、未置換または炭素原子数１ないし４のアルキル置換されたフェニル基を表すところの、請求項１に記載の生成物。
【請求項７】
ａ）酸化、熱または光誘発された崩壊を受ける有機材料、および
ｂ）少なくとも１種の請求項１に記載の生成物
からなる組成物。